(57)【要約】  ＬＴＥシステムのＦＤＤとＴＤＤとの間でリダイレクトする方法及び装置であって、該方法は、ＭＭＥが、端末が第１システムモードで送信するデタッチ要求メッセージを受信し、該デタッチ要求メッセージがＦＤＤとＴＤＤとの間のリダイレクトに用いられると、該端末の現在セッションのためにセッションメンテナンス識別子を有効に設定し、且つ現在セッションをメンテナンスすることと、ＭＭＥが、前記端末が第２システムモードで送信するアタッチ要求メッセージを受信し、前記端末のユニーク識別子に基づき対応するセッションのセッションメンテナンス識別子が有効であるか否かを問い合わせ、有効であると、前記セッションを回復することと、を含み、第１システムモードがＦＤＤ−ＬＴＥ／ＴＤＤ−ＬＴＥモードであり、第２システムモードがＴＤＤ−ＬＴＥ／ＦＤＤ−ＬＴＥモードである。上記技術的手段は、データ端末がＦＤＤからＴＤＤへリダイレクトし、又はＴＤＤからＦＤＤへリダイレクトする際に、ｄｅｔａｃｈによってサービス中断が発生する課題を解決する。【選択図】図１
2017505018.tif 000002
【特許請求の範囲】
【請求項１】
モビリティ管理エンティティＭＭＥが、端末が第１システムモードで送信するデタッチ要求メッセージを受信し、前記デタッチ要求メッセージが周波数分割複信ＦＤＤと時間分割複信ＴＤＤとの間のリダイレクトに用いられると判断すると、前記端末の現在セッションのためにセッションメンテナンス識別子を有効に設定し、且つ現在セッションをメンテナンスすることと、
前記ＭＭＥが、前記端末が第２システムモードで送信するアタッチ要求メッセージを受信し、前記端末のユニーク識別子に基づき、該識別子に対応するセッションのセッションメンテナンス識別子が有効であるか否かを問い合わせ、有効であると、前記セッションを回復することと、を含み、
前記第１システムモードが周波数分割複信−ロングタームエボリューションＦＤＤ−ＬＴＥモードであり、前記第２システムモードが時間分割複信−ロングタームエボリューションＴＤＤ−ＬＴＥモードであり、又は、前記第１システムモードがＴＤＤ−ＬＴＥモードであり、前記第２システムモードがＦＤＤ−ＬＴＥモードであるＬＴＥシステムのＦＤＤとＴＤＤとの間でリダイレクトする方法。
【請求項２】
前記デタッチ要求メッセージには、ＦＤＤとＴＤＤとの間のリダイレクトを示すための識別子が含まれ、
前記ＭＭＥは、前記ＦＤＤとＴＤＤとの間のリダイレクトを示すための識別子に基づき、前記デタッチ要求メッセージがＦＤＤとＴＤＤとの間のリダイレクトに用いられると判断する請求項１に記載のＬＴＥシステムのＦＤＤとＴＤＤとの間でリダイレクトする方法。
【請求項３】
前記ＭＭＥが現在セッションをメンテナンスすることは、前記現在セッションのセッションコピー及び前記端末のユニーク識別子コピーを作成して保存することを含む請求項１に記載のＬＴＥシステムのＦＤＤとＴＤＤとの間でリダイレクトする方法。
【請求項４】
前記端末のユニーク識別子に基づきそれに対応するセッションのセッションメンテナンス識別子が有効であるか否かを問い合わせることは、前記端末のユニーク識別子と保存されたユニーク識別子コピーが同一であるか否かを判断し、同一であると、該端末のユニーク識別子に対応するセッションのセッションメンテナンス識別子が有効であるか否かを問い合わせることを含む請求項３に記載のＬＴＥシステムのＦＤＤとＴＤＤとの間でリダイレクトする方法。
【請求項５】
セッションを回復した後、前記セッションのセッションメンテナンス識別子を無効に設定し、且つ前記端末のユニーク識別子コピー及び該識別子に対応するセッションのセッションコピーをリリースすることを更に含む請求項３に記載のＬＴＥシステムのＦＤＤとＴＤＤとの間でリダイレクトする方法。
【請求項６】
受信モジュール、セッションメンテナンスモジュール、及びセッション回復モジュールを備え、
前記受信モジュールは、端末が第１システムモードで送信するデタッチ要求メッセージを受信して前記セッションメンテナンスモジュールに送信し、並びに前記端末が第２システムモードで送信するアタッチ要求メッセージを受信して前記セッション回復モジュールに送信するように設定され、
前記セッションメンテナンスモジュールは、前記デタッチ要求メッセージを受信した後、前記デタッチ要求メッセージが周波数分割複信ＦＤＤと時間分割複信ＴＤＤとの間のリダイレクトに用いられると判断すると、前記端末の現在セッションのためにセッションメンテナンス識別子を有効に設定し、且つ現在セッションをメンテナンスするように設定され、
前記セッション回復モジュールは、前記アタッチ要求メッセージを受信した後、前記端末のユニーク識別子に基づき、該識別子に対応するセッションのセッションメンテナンス識別子が有効であるか否かを問い合わせ、有効であると、前記セッションを回復するように設定され、
前記第１システムモードが周波数分割複信−ロングタームエボリューションＦＤＤ−ＬＴＥモードであり、前記第２システムモードが時間分割複信−ロングタームエボリューションＴＤＤ−ＬＴＥモードであり、又は、前記第１システムモードがＴＤＤ−ＬＴＥモードであり、前記第２システムモードがＦＤＤ−ＬＴＥモードであるＬＴＥシステムのＦＤＤとＴＤＤとの間でリダイレクトする装置。
【請求項７】
前記デタッチ要求メッセージには、ＦＤＤとＴＤＤとの間のリダイレクトを示すための識別子が含まれ、
前記セッションメンテナンスモジュールは更に、前記ＦＤＤとＴＤＤとの間のリダイレクトを示すための識別子に基づき、前記デタッチ要求メッセージがＦＤＤとＴＤＤとの間のリダイレクトに用いられると判断するように設定される請求項６に記載のＬＴＥシステムのＦＤＤとＴＤＤとの間でリダイレクトする装置。
【請求項８】
前記セッションメンテナンスモジュールは、
前記現在セッションのセッションコピー及び前記端末のユニーク識別子コピーを作成して保存することにより、現在セッションをメンテナンスするように設定される請求項６に記載のＬＴＥシステムのＦＤＤとＴＤＤとの間でリダイレクトする装置。
【請求項９】
前記セッション回復モジュールは、
前記端末のユニーク識別子と保存されたユニーク識別子コピーが同一であるか否かを判断し、同一であると、該端末のユニーク識別子に対応するセッションのセッションメンテナンス識別子が有効であるか否かを問い合わせることにより、前記端末のユニーク識別子に基づきそれに対応するセッションのセッションメンテナンス識別子が有効であるか否かを問い合わせるように設定される請求項８に記載のＬＴＥシステムのＦＤＤとＴＤＤとの間でリダイレクトする装置。
【請求項１０】
前記セッション回復モジュールは更に、セッションを回復した後、前記セッションのセッションメンテナンス識別子を無効に設定し、且つ前記端末のユニーク識別子コピー及び該識別子に対応するセッションのセッションコピーをリリースするように設定される請求項８に記載のＬＴＥシステムのＦＤＤとＴＤＤとの間でリダイレクトする装置。
【発明の詳細な説明】
【技術分野】
【０００１】
本発明は、ロングタームエボリューション（ＬＴＥ、Long Term Evolution）システムのＦＤＤ（Frequency Division Duplexing、周波数分割複信）とＴＤＤ（Time Division Duplexing、時間分割複信）との間でリダイレクトする技術分野に関し、具体的にＬＴＥシステムのＦＤＤとＴＤＤとの間でリダイレクトする方法及び装置に関する。
【背景技術】
【０００２】
ＬＴＥシステムはＦＤＤ−ＬＴＥ及びＴＤＤ−ＬＴＥ、すなわち周波数分割複信ＬＴＥシステム及び時間分割複信ＬＴＥシステムを含み、それらの技術の主な相違点は、エアインタフェースの物理層（画像フレーム構造、時間分割設計、同期など）である。ＦＤＤ−ＬＴＥシステムのエアインタフェースアップリンク・ダウンリンク伝送では、１対の対称な帯域を用いてデータを送受信するが、ＴＤＤ−ＬＴＥシステムのアップリンク・ダウンリンクでは、同一帯域を用いて異なるタイムスロットで伝送する。ＦＤＤ複信方式よりも、ＴＤＤはスペクトル効率が高い。
【０００３】
４Ｇ技術の絶え間ない発展と商業化につれて、中国でのＴＤＤ技術の強力な普及と相まって、多くのオペレータの４Ｇネットワークは、ＦＤＤモードとＴＤＤモードが共同でオーバーレイするネットワークとなり、すると、ＦＤＤモードとＴＤＤモードとをサポートする端末がデータサービスを行う際に、ＦＤＤモードからＴＤＤモードへの切り替え、又はＴＤＤモードからＦＤＤモードへの切り替えのシーンが生じる。重要な切り替え技術の１つはリダイレクトであり、３ＧＰＰは端末がどのようにＬＴＥ ＦＤＤとＴＤＤとの間でリダイレクトするかを定義していないので、クアルコム社などの端末チップ、プラットフォームベンダーは、ｄｅｔａｃｈ−ａｔｔａｃｈ（デタッチ−アタッチ）の方式によりリダイレクトを実現し、例えば、ＦＤＤモードからＴＤＤモードへのリダイレクトの場合、端末はまずＦＤＤモードでｄｅｔａｃｈ（デタッチ）要求を確立し、次に改めてＴＤＤモードでａｔｔａｃｈ（アタッチ）要求を確立する。コアネットワークがｄｅｔａｃｈ（デタッチ）要求を受信すると、セッションを削除するので、端末ユーザのサービス中断を招き、ユーザエクスペリエンスを大幅に損なってしまう。
【発明の概要】
【発明が解決しようとする課題】
【０００４】
本発明の実施例が解決しようとする技術的課題は、ＬＴＥシステムのＦＤＤ、ＴＤＤが共同でオーバーレイするネットワークで、データ端末をＦＤＤからＴＤＤにリダイレクトし、又はＴＤＤからＦＤＤにリダイレクトする際に、ｄｅｔａｃｈによってサービス中断が発生する問題を解決する、ＬＴＥシステムのＦＤＤとＴＤＤとの間でリダイレクトする方法及び装置を提供することである。
【課題を解決するための手段】
【０００５】
上記技術的課題を解決するために用いる技術的解決手段は、以下のとおりである。
【０００６】
ＬＴＥシステムのＦＤＤとＴＤＤとの間でリダイレクトする方法であって、
モビリティ管理エンティティＭＭＥが、端末が第１システムモードで送信するデタッチ要求メッセージを受信し、前記デタッチ要求メッセージが周波数分割複信ＦＤＤと時間分割複信ＴＤＤとの間のリダイレクトに用いられると判断すると、前記端末の現在セッションのためにセッションメンテナンス識別子を有効に設定し、且つ現在セッションをメンテナンス（保持又は維持）することと、
前記ＭＭＥが、前記端末が第２システムモードで送信するアタッチ要求メッセージを受信し、前記端末のユニーク識別子に基づき、該識別子に対応するセッションのセッションメンテナンス識別子が有効であるか否かを問い合わせ、有効であると、前記セッションを回復することと、を含み、
前記第１システムモードが周波数分割複信−ロングタームエボリューションＦＤＤ−ＬＴＥモードであり、前記第２システムモードが時間分割複信−ロングタームエボリューションＴＤＤ−ＬＴＥモードであり、又は、前記第１システムモードがＴＤＤ−ＬＴＥモードであり、前記第２システムモードがＦＤＤ−ＬＴＥモードである。
【０００７】
選択的に、前記デタッチ要求メッセージには、ＦＤＤとＴＤＤとの間のリダイレクトを示すための識別子が含まれ、
前記ＭＭＥは、前記ＦＤＤとＴＤＤとの間のリダイレクトを示すための識別子に基づき、前記デタッチ要求メッセージがＦＤＤとＴＤＤとの間のリダイレクトに用いられると判断する。
【０００８】
選択的に、前記ＭＭＥが現在セッションをメンテナンスすることは、前記現在セッションのセッションコピー及び前記端末のユニーク識別子コピーを作成して保存することを含む。
【０００９】
選択的に、前記端末のユニーク識別子に基づき対応するセッションのセッションメンテナンス識別子が有効であるか否かを問い合わせることは、前記端末のユニーク識別子と保存されたユニーク識別子コピーが同一であるか否かを判断し、同一であると、該端末のユニーク識別子に対応するセッションのセッションメンテナンス識別子が有効であるか否かを問い合わせることを含む。
【００１０】
選択的に、前記方法は、
セッションを回復した後、前記セッションのセッションメンテナンス識別子を無効に設定し、且つ前記端末のユニーク識別子コピー及び該識別子に対応するセッションのセッションコピーをリリースすることを更に含む。
【００１１】
ＬＴＥシステムのＦＤＤとＴＤＤとの間でリダイレクトする装置であって、受信モジュール、セッションメンテナンスモジュール及びセッション回復モジュールを備え、
前記受信モジュールは、端末が第１システムモードで送信するデタッチ要求メッセージを受信して、前記セッションメンテナンスモジュールに送信し、並びに前記端末が第２システムモードで送信するアタッチ要求メッセージを受信して、前記セッション回復モジュールに送信するように設定され、
前記セッションメンテナンスモジュールは、前記デタッチ要求メッセージを受信した後、前記デタッチ要求メッセージが周波数分割複信ＦＤＤと時間分割複信ＴＤＤとの間のリダイレクトに用いられると判断すると、前記端末の現在セッションのためにセッションメンテナンス識別子を有効に設定し、且つ現在セッションをメンテナンスするように設定され、
前記セッション回復モジュールは、前記アタッチ要求メッセージを受信した後、前記端末のユニーク識別子に基づき、該識別子に対応するセッションのセッションメンテナンス識別子が有効であるか否かを問い合わせ、有効であると、前記セッションを回復するように設定され、
前記第１システムモードが周波数分割複信−ロングタームエボリューションＦＤＤ−ＬＴＥモードであり、前記第２システムモードが時間分割複信−ロングタームエボリューションＴＤＤ−ＬＴＥモードであり、又は、前記第１システムモードがＴＤＤ−ＬＴＥモードであり、前記第２システムモードがＦＤＤ−ＬＴＥモードである。
【００１２】
選択的に、前記デタッチ要求メッセージには、ＦＤＤとＴＤＤとの間のリダイレクトを示すための識別子が含まれ、
前記セッションメンテナンスモジュールは更に、前記ＦＤＤとＴＤＤとの間のリダイレクトを示すための識別子に基づき、前記デタッチ要求メッセージがＦＤＤとＴＤＤとの間のリダイレクトに用いられると判断するように設定される。
【００１３】
選択的に、前記セッションメンテナンスモジュールは、
前記現在セッションのセッションコピー及び前記端末のユニーク識別子コピーを作成して保存することにより、現在セッションをメンテナンスするように設定される。
【００１４】
選択的に、前記セッション回復モジュールは、
前記端末のユニーク識別子と保存されたユニーク識別子コピーが同一であるか否かを判断し、同一であると、該端末のユニーク識別子に対応するセッションのセッションメンテナンス識別子が有効であるか否かを問い合わせることにより、前記端末のユニーク識別子に基づき対応するセッションのセッションメンテナンス識別子が有効であるか否かを問い合わせるように設定される。
【００１５】
選択的に、前記セッション回復モジュールは更に、
セッションを回復した後、前記セッションのセッションメンテナンス識別子を無効に設定し、且つ前記端末のユニーク識別子コピー及び該識別子に対応するセッションのセッションコピーをリリースするように設定される。
【発明の効果】
【００１６】
関連技術に比べて、本発明の実施例に係るＬＴＥシステムのＦＤＤとＴＤＤとの間でリダイレクトする方法及び装置は、ＬＴＥシステムのＦＤＤ、ＴＤＤが共同でオーバーレイするネットワークで、データ端末をＦＤＤからＴＤＤにリダイレクトし、又はＴＤＤからＦＤＤにリダイレクトする際に、ｄｅｔａｃｈ（デタッチ）によってサービス中断が発生する問題を解決する。
【図面の簡単な説明】
【００１７】
【図１】図１は、実施例に係るＬＴＥシステムのＦＤＤとＴＤＤとの間でリダイレクトする方法のフローチャートである。
【図２】図２は、実施例に係るＤｅｔａｃｈ  ｒｅｑｕｅｓｔ（デタッチ要求）メッセージの構成図である。
【図３】図３は、実施例に係るＬＴＥシステムのＦＤＤとＴＤＤとの間でリダイレクトする装置の構成図である。
【図４】図４は、実施例に係るＦＤＤとＴＤＤとの間でリダイレクトする方法のフローチャートである。
【発明を実施するための形態】
【００１８】
以下、図面を参照しながら、本発明の実施例を詳細に説明する。なお、矛盾が生じない限り、本願の実施例及び実施例の特徴は、互いに任意に組み合わせることができる。
【００１９】
実施例：
本発明の実施例は、データ端末がＥＰＳ（Evolved Packet System、進化したパケットシステム）におけるＦＤＤとＴＤＤとの切り替え技術に関する。データ端末は、ＬＴＥをサポートする携帯電話、モバイルホットスポット製品、データカードなどの無線端末製品（以下、端末と称す）を含む。切り替え技術は主に、ＦＤＤからＴＤＤへのリダイレクト、又はＴＤＤからＦＤＤへのリダイレクトである。
【００２０】
図１に示すように、本実施例は、ＬＴＥシステムのＦＤＤとＴＤＤとの間でリダイレクトする方法を提供し、以下のステップＳ１０１〜Ｓ１０４を含む。
【００２１】
Ｓ１０１：ＭＭＥは、端末が第１システムモードで送信するｄｅｔａｃｈ（デタッチ）要求メッセージを受信する。
【００２２】
前記デタッチ要求メッセージには、該デタッチメッセージがＦＤＤとＴＤＤとの間のリダイレクトに用いられる識別子が含まれていると、ＭＭＥは、該ｄｅｔａｃｈデタッチ要求メッセージを受信すると、ｄｅｔａｃｈデタッチ要求メッセージに含まれた該識別子に基づき、該ｄｅｔａｃｈのタイプがＬＴＥ ＦＤＤとＴＤＤとの間のリダイレクトによるｄｅｔａｃｈタイプであると判断し、すなわち、該ｄｅｔａｃｈ（デタッチ）要求メッセージがＦＤＤとＴＤＤとの間のリダイレクトに用いられる。
【００２３】
図２に示すように、Ｄｅｔａｃｈ ｒｅｑｕｅｓｔ（デタッチ要求）メッセージの長さは８ｂｉｔであり、その下位３ｂｉｔがｄｅｔａｃｈタイプを示し、００１がＥＰＳ ｄｅｔａｃｈを示し、０１０がＩＭＳＩ ｄｅｔａｃｈを示し、０１１がｃｏｍｂｉｎｅｄ ＥＰＳ／ＩＭＳＩ ｄｅｔａｃｈを示し、１１０及び１１１が予約ビットである。本実施例において、ｄｅｔａｃｈ要求メッセージの下位３ビットは、１１０又は１１１であってよく、該ｄｅｔａｃｈデタッチ要求メッセージがＬＴＥシステムにおけるＦＤＤとＴＤＤとの間のリダイレクトによるｄｅｔａｃｈタイプであることを示す。
【００２４】
Ｓ１０２：前記デタッチ要求メッセージが周波数分割複信ＦＤＤと時間分割複信ＴＤＤとの間のリダイレクトに用いられると判断すると、前記端末の現在セッションのためにセッションメンテナンス識別子を有効に設定し、且つ現在セッションをメンテナンス（保持又は維持）する。
【００２５】
前記ＭＭＥが現在セッションをメンテナンスすることは、前記現在セッションのセッションコピー及び前記端末のユニーク識別子コピーを作成することを含む。前記端末のユニーク識別子は、例えば、ＩＭＳＩ（International Mobile Subscriber Identification  Number、国際移動体加入者識別番号）又はＧＵＴＩ（Globally Unique Temporary Identifier、グローバル一意一時識別子）を含む。
【００２６】
Ｓ１０３：前記ＭＭＥは、前記端末が第２システムモードで送信するａｔｔａｃｈ（アタッチ）要求メッセージを受信する。
【００２７】
前記第１システムモードが周波数分割複信−ロングタームエボリューションＦＤＤ−ＬＴＥモードであり、前記第２システムモードが時間分割複信−ロングタームエボリューションＴＤＤ−ＬＴＥモードであり、又は、前記第１システムモードがＴＤＤ−ＬＴＥモードであり、前記第２システムモードがＦＤＤ−ＬＴＥモードである。
【００２８】
Ｓ１０４：前記端末のユニーク識別子に基づき、対応するセッションのセッションメンテナンス識別子が有効であるか否かを問い合わせ、有効であると、セッションを回復する。
【００２９】
前記端末のユニーク識別子に基づき、対応するセッションのセッションメンテナンス識別子が有効であるか否かを問い合わせることは、前記端末のユニーク識別子と保存されたユニーク識別子コピーが同一であるか否かを判断し、同一であると、該端末のユニーク識別子に対応するセッションのセッションメンテナンス識別子が有効であるか否かを問い合わせることを含む。
【００３０】
端末のユニーク識別子と保存されたユニーク識別子コピーが一致し、且つ該端末のユニーク識別子に対応するセッションのセッションメンテナンス識別子が有効であると、該セッションがステップＳ１０２でメンテナンスされたセッションであり、該セッションを回復することにより、端末がＦＤＤからＴＤＤへ切り替え、又はＴＤＤからＦＤＤへ切り替えるリダイレクト過程でセッション中断が発生しないことを確保する。
【００３１】
また、セッションを回復した後、前記方法は、前記セッションのセッションメンテナンス識別子を無効に設定し、且つ前記端末のユニーク識別子コピー及び対応するセッションのセッションコピーをリリースすることを更に含む。
【００３２】
図３に示すように、本実施例はＬＴＥシステムのＦＤＤとＴＤＤとの間でリダイレクトする装置を提供し、受信モジュール３０１、セッションメンテナンスモジュール３０２、及びセッション回復モジュール３０３を備える。
受信モジュール３０１は、端末が第１システムモードで送信するデタッチ要求メッセージを受信してセッションメンテナンスモジュールに送信し、並びに前記端末が第２システムモードで送信するアタッチ要求メッセージを受信してセッション回復モジュールに送信するように設定されている。
セッションメンテナンスモジュール３０２は、前記デタッチ要求メッセージを受信した後、前記デタッチ要求メッセージが周波数分割複信ＦＤＤと時間分割複信ＴＤＤとの間のリダイレクトに用いられると判断すると、前記端末の現在セッションのためにセッションメンテナンス識別子を有効に設定し、現在セッションをメンテナンスするように設定されている。
前記デタッチ要求メッセージには、ＦＤＤとＴＤＤとの間のリダイレクトを示すための識別子が含まれている。
前記セッションメンテナンスモジュール３０２は、前記ＦＤＤとＴＤＤとの間のリダイレクトを示すための識別子に基づき前記デタッチ要求メッセージがＦＤＤとＴＤＤとの間のリダイレクトに用いられると判断するように設定されている。
【００３３】
選択的に、図２に示すように、本実施例において、前記ＦＤＤとＴＤＤとの間のリダイレクトを示すための識別子は、デタッチ要求メッセージの下位３ｂｉｔが１１０又は１１１であることを含む。
【００３４】
前記セッションメンテナンスモジュール３０２は、前記現在セッションのセッションコピー及び前記端末のユニーク識別子コピーを作成することにより、現在セッションをメンテナンスするように設定されている。
【００３５】
セッション回復モジュール３０３は、前記アタッチ要求メッセージを受信した後、前記端末のユニーク識別子に基づき対応するセッションのセッションメンテナンス識別子が有効であるか否かを問い合わせ、有効であると、前記セッションを回復するように設定されている。
【００３６】
前記セッション回復モジュール３０３は、前記端末のユニーク識別子と保存されたユニーク識別子コピーが同一であるか否かを判断し、同一であると、該端末のユニーク識別子に対応するセッションのセッションメンテナンス識別子が有効であるか否かを問い合わせることにより、前記端末のユニーク識別子に基づき、対応するセッションのセッションメンテナンス識別子が有効であるか否かを問い合わせるように設定されている。
【００３７】
また、前記セッション回復モジュール３０３は更に、セッションを回復した後、前記セッションのセッションメンテナンス識別子を無効に設定し、且つ前記端末のユニーク識別子コピー及び対応するセッションのセッションコピーをリリースするように設定されている。
【００３８】
前記第１システムモードが周波数分割複信−ロングタームエボリューションＦＤＤ−ＬＴＥモードであり、前記第２システムモードが時間分割複信−ロングタームエボリューションＴＤＤ−ＬＴＥモードであり、又は、前記第１システムモードがＴＤＤ−ＬＴＥモードであり、前記第２システムモードがＦＤＤ−ＬＴＥモードである。
【００３９】
１つの応用例において、端末がＦＤＤモードからＴＤＤモードへ切り替え、図４に示すように、ＦＤＤとＴＤＤとの間のリダイレクト方法は、以下のステップＳ２０１〜Ｓ２１１を含む。
【００４０】
Ｓ２０１：ＦＤＤ−ＬＴＥモードで、端末は、測定報告をｅＮｏｄｅＢに報告する。
【００４１】
Ｓ２０２：ｅＮｏｄｅＢは、測定情報に基づき、リダイレクト条件を満たすと判断すると、リダイレクトするように端末に通知する。
【００４２】
Ｓ２０３：端末は、ＦＤＤで、ｄｅｔａｃｈプロセスをトリガーする。
【００４３】
Ｓ２０４：端末は、Ｄｅｔａｃｈ ｒｅｑｕｅｓｔメッセージの下位３ｂｉｔを１１０に変更し、その後、ｄｅｔａｃｈ ｒｅｑｕｅｓｔメッセージをＭＭＥに送信する。
【００４４】
Ｄｅｔａｃｈ ｒｅｑｕｅｓｔメッセージの長さは８ｂｉｔであり、その下位３ｂｉｔがｄｅｔａｃｈタイプを示し、００１がＥＰＳ ｄｅｔａｃｈを示し、０１０がＩＭＳＩ ｄｅｔａｃｈを示し、０１１がｃｏｍｂｉｎｅｄ ＥＰＳ／ＩＭＳＩ ｄｅｔａｃｈを示し、１１０及び１１１が予約ビットであり、図２に示される。１１０は、ＬＴＥのＦＤＤとＴＤＤとの間のリダイレクトによるｄｅｔａｃｈタイプを示す。
【００４５】
Ｓ２０５：ＭＭＥは、ｄｅｔａｃｈ ｒｅｑｕｅｓｔメッセージを受信する。
【００４６】
Ｓ２０６：メッセージの下位３ｂｉｔが１１０であるか否かを判断し、１１０であると、ステップＳ２０７を実行する。
【００４７】
Ｓ２０７：セッションメンテナンスフラグビットｂ Ｓｅｓｓｉｏｎ Ｓａｖｅ＝ＴＲＵＥを設定し、且つセッションコピー、及びＩＭＳＩ又はＧＵＴＩコピーを保存する。
【００４８】
Ｓ２０８：端末は、ＬＴＥのＴＤＤで、ａｔｔａｃｈ ｒｅｑｕｅｓｔメッセージを確立する。
【００４９】
Ｓ２０９：ＭＭＥは、ａｔｔａｃｈ ｒｅｑｕｅｓｔメッセージを受信する。
【００５０】
Ｓ２１０：ＭＭＥは、ｂ Ｓｅｓｓｉｏｎ Ｓａｖｅ＝ＴＲＵＥであって、ＵＥのＩＭＳＩ又はＧＵＴＩが保存値に一致するか否かを判断し、一致すると、ステップＳ２０９を実行する。
【００５１】
Ｓ２１１：セッションを回復し、ｂＳｅｓｓｉｏｎＳａｖｅ＝ＦＡＬＳＥを設定し、且つセッションコピー及びＩＭＳＩ又はＧＵＴＩコピーをリリースする。
【００５２】
別の応用例において、端末がＴＤＤとＦＤＤとの間でリダイレクトするプロセスはステップＳ２０１〜Ｓ２０９と類似し、相違点について、端末がＴＤＤモードからＦＤＤモードに切り替え、ＴＤＤ−ＬＴＥモードで端末が測定報告をｅＮｏｄｅＢに報告し、リダイレクト条件を満たすと、ｅＮｏｄｅＢはＴＤＤモードでｄｅｔａｃｈプロセスをトリガーするように端末に通知し、ＭＭＥがｄｅｔａｃｈ ｒｅｑｕｅｓｔメッセージを受信し、セッションをメンテナンスし、端末がＬＴＥのＦＤＤでａｔｔａｃｈ ｒｅｑｕｅｓｔメッセージを確立し、ＭＭＥがセッションを回復する。
【００５３】
上記実施例からわかるように、関連技術に比べて、上記実施例に係るＬＴＥシステムのＦＤＤとＴＤＤとの間でリダイレクトする方法及び装置は、ＬＴＥシステムのＦＤＤ、ＴＤＤが共同でオーバーレイするネットワークで、データ端末をＦＤＤからＴＤＤにリダイレクトし、又はＴＤＤからＦＤＤにリダイレクトする際に、ｄｅｔａｃｈによってサービス中断が発生する課題を解決する。
【００５４】
当業者は、上記方法の全部又は一部のステップをプログラムによって関連ハードウェアに命令を出して完成させることができ、上記プログラムはコンピュータが読み取り可能な記憶媒体、例えば読取り専用メモリ、磁気ディスク又は光ディスク等に記憶してもよいことを理解することができる。選択的に、上記実施例の全部又は一部のステップは１つ又は複数の集積回路により実現されてもよい。それに対応して、上記実施例における各モジュール／ユニットはハードウェアの形態で実現されてもよく、ソフトウェア機能モジュールの形態で実現されてもよい。本発明はいかなる特定形態のハードウェアとソフトウェアの組合せに限らない。
【００５５】
以上の実施例は、本発明の好ましい実施例であるに過ぎず、本発明の保護範囲を限定するものではない。本発明の発明内容に基づき、他の様々な実施例を挙げられ、本発明の趣旨及び原理を逸脱せずに、当業者は本発明に基づき様々な変更や変形を行うことができ、本発明の趣旨及び原理を逸脱せずに行うあらゆる変更、同等置換、改良等は、本発明の保護範囲に属する。
【産業上の利用可能性】
【００５６】
本発明の実施例に係るＬＴＥシステムのＦＤＤとＴＤＤとの間でリダイレクトする方法及び装置は、ＬＴＥシステムのＦＤＤ、ＴＤＤが共同でオーバーレイするネットワークで、データ端末をＦＤＤからＴＤＤにリダイレクトし、又はＴＤＤからＦＤＤにリダイレクトする際に、ｄｅｔａｃｈによってサービス中断が発生する課題を解決する。従って、本発明は産業上の利用可能性が高い。
【図１】
2017505018.tif 000003
【図２】
2017505018.tif 000004
【図３】
2017505018.tif 000005
【図４】
2017505018.tif 000006
【国際調査報告】
2017505018.tif 000007
2017505018.tif 000008
2017505018.tif 000009
2017505018.tif 000010